(57)【要約】  本発明は、タッチスクリーンのエッジ処理方法及び装置を提供しており、該方法は、携帯端末の現在のタッチスクリーンが横画面又は縦画面状態にあることを検出することと、前記携帯端末の横画面又は縦画面状態に応じて、前記タッチスクリーンのエッジにエッジ抑制を設定するか、又はエッジ抑制なしを設定するかを決定することと、決定した結果に従って、前記タッチスクリーンのエッジ抑制機能を設定することとを含み、関連技術における携帯端末のタッチスクリーンのスクリーンエッジ抑制の柔軟性が不十分である問題を解決し、携帯端末のタッチスクリーンのスクリーンエッジ抑制機能の柔軟な設定を実現し、使用の利便性が向上し、ユーザの体験感が向上する。
2020527809.tif 000002
【特許請求の範囲】
【請求項１】
携帯端末の現在のタッチスクリーンが横画面又は縦画面状態にあることを検出することと、
前記携帯端末の横画面又は縦画面状態に応じて、前記タッチスクリーンのエッジにエッジ抑制を設定するか、又はエッジ抑制なしを設定するかを決定することと、
決定した結果に従って、前記タッチスクリーンのエッジ抑制機能を設定することとを含む、タッチスクリーンのエッジ処理方法。
【請求項２】
前記携帯端末の横画面又は縦画面状態に応じて、前記タッチスクリーンのエッジにエッジ抑制を設定するか、又はエッジ抑制なしを設定するかを決定することは、
前記携帯端末が縦画面状態にあると、前記タッチスクリーンの左エッジ及び右エッジにエッジ抑制を設定することを決定することと、
前記携帯端末が横画面状態にあると、前記タッチスクリーンのエッジにエッジ抑制なしを設定することを決定することとを含む、請求項１に記載のタッチスクリーンのエッジ処理方法。
【請求項３】
前記携帯端末が縦画面状態にあると、前記タッチスクリーンの左エッジ及び右エッジにエッジ抑制を設定することを決定することは、
前記携帯端末が単一画面縦画面状態にあると、前記タッチスクリーンの左エッジ及び右エッジにエッジ抑制を設定することを決定することと、
前記携帯端末がデュアル画面又はマルチ画面拡張縦画面状態にあると、タッチスクリーンの左エッジ及び右エッジにエッジ抑制を設定し、隣接するタッチスクリーン間にエッジ抑制なしを設定することを決定することとの少なくとも１つを含む、請求項２に記載のタッチスクリーンのエッジ処理方法。
【請求項４】
前記携帯端末がデュアル画面又はマルチ画面拡張縦画面状態にあると、タッチスクリーンの左エッジ及び右エッジにエッジ抑制を設定し、隣接するタッチスクリーン間にエッジ抑制なしを設定することを決定することは、
前記携帯端末がデュアル画面拡張縦画面状態にあると、左タッチスクリーンの左エッジ及び右タッチスクリーンの右エッジにエッジ抑制を設定し、左タッチスクリーンの右エッジ及び右タッチスクリーンの左エッジにエッジ抑制なしを設定することを決定すること、或いは、
前記携帯端末がマルチ画面拡張縦画面状態にあると、最左タッチスクリーンの左エッジ及び最右タッチスクリーンの右エッジにエッジ抑制を設定し、前記最左タッチスクリーンの右エッジ、中間タッチスクリーンの左右エッジ及び前記最右タッチスクリーンの左エッジにエッジ抑制なしを設定することを決定することを含む、請求項３に記載のタッチスクリーンのエッジ処理方法。
【請求項５】
決定した結果に従って、前記タッチスクリーンのエッジ抑制機能を設定することは、
前記携帯端末が単一画面縦画面状態にあると、Ｉ２Ｃ又はＳＰＩバスを介して前記タッチスクリーンに左エッジ及び右エッジ抑制のタッチスクリーンプロファイルを送信することと、
前記携帯端末がデュアル画面又はマルチ画面拡張縦画面状態にあると、Ｉ２Ｃ又はＳＰＩバスを介して前記タッチスクリーンに、左エッジ及び右エッジ抑制、隣接するタッチスクリーン間でエッジ抑制なしのタッチスクリーンプロファイルを送信することとを含む、請求項３に記載のタッチスクリーンのエッジ処理方法。
【請求項６】
前記携帯端末が横画面状態にあると、前記タッチスクリーンのエッジにエッジ抑制なしを設定することを決定することは、
前記携帯端末が単一画面横画面状態にあると、前記タッチスクリーンのエッジにエッジ抑制なしを設定することを決定することと、
前記携帯端末がデュアル画面又はマルチ画面拡張横画面状態にあると、前記タッチスクリーンのエッジにエッジ抑制なしを設定し、隣接するタッチスクリーン間にエッジ抑制なしを設定することを決定することとを含む、請求項２に記載のタッチスクリーンのエッジ処理方法。
【請求項７】
決定した結果に従って、前記タッチスクリーンのエッジ抑制機能を設定することは、
前記携帯端末が単一画面横画面状態にあると、Ｉ２Ｃ又はＳＰＩバスを介して前記タッチスクリーンにエッジ抑制なしのタッチスクリーンプロファイルを送信することと、
前記携帯端末がデュアル画面又はマルチ画面拡張横画面状態にあると、Ｉ２Ｃ又はＳＰＩバスを介して前記タッチスクリーンにタッチスクリーンのエッジでエッジ抑制なし、隣接するタッチスクリーン間でエッジ抑制なしのタッチスクリーンプロファイルを送信することとを含む、請求項６に記載のタッチスクリーンのエッジ処理方法。
【請求項８】
メモリから前記タッチスクリーンプロファイルを読み取ることと、
Ｉ２Ｃ又はＳＰＩバスを介して、読み取った前記タッチスクリーンプロファイルを前記タッチスクリーン集積回路ＩＣに送信することとを更に含む、請求項５又は７に記載のタッチスクリーンのエッジ処理方法。
【請求項９】
前記携帯端末のタッチスクリーン状態が変化するか否かを検出することと、
前記携帯端末のタッチスクリーン状態が変化した場合、前記タッチスクリーン状態の変化状況に従って、前記携帯端末のタッチスクリーンのエッジ抑制領域を変更することとを更に含む、請求項１〜７のいずれか一項に記載のタッチスクリーンのエッジ処理方法。
【請求項１０】
前記タッチスクリーン状態の変化状況に従って、前記携帯端末のタッチスクリーンのエッジ抑制領域を変更することは、
前記タッチスクリーンが縦画面状態から横画面状態に変化したことを検出すると、前記タッチスクリーンのエッジ抑制状態を左エッジ及び右エッジ抑制からエッジ抑制なしに切り替えること、或いは、
前記タッチスクリーンが横画面状態から縦画面状態に変化したことを検出すると、前記タッチスクリーンのエッジ抑制状態をエッジ抑制なしから左エッジ及び右エッジ抑制に切り替えることを含む、請求項９に記載のタッチスクリーンのエッジ処理方法。
【請求項１１】
前記タッチスクリーンが縦画面状態から横画面状態に変化したことを検出すると、前記タッチスクリーンのエッジ抑制状態を左エッジ及び右エッジ抑制からエッジ抑制なしに切り替えることは、
前記タッチスクリーンが単一画面縦画面状態から単一画面横画面状態に変化したことを検出すると、前記タッチスクリーンのエッジ抑制状態を左エッジ及び右エッジ抑制からエッジ抑制なしに切り替えることと、
前記タッチスクリーンがデュアル画面又はマルチ画面縦画面状態からデュアル画面又はマルチ画面横画面状態に変化したことを検出すると、前記タッチスクリーンのエッジ抑制状態を、左エッジ及び右エッジ抑制、隣接するタッチスクリーンのエッジ抑制なしから、エッジ抑制なしに切り替えることとを含む、請求項１０に記載のタッチスクリーンのエッジ処理方法。
【請求項１２】
前記タッチスクリーンが横画面状態から縦画面状態に変化したことを検出すると、前記タッチスクリーンのエッジ抑制状態をエッジ抑制なしから左エッジ及び右エッジ抑制に切り替えることは、
前記タッチスクリーンが単一画面横画面状態から単一画面縦画面状態に変化したことを検出すると、前記タッチスクリーンのエッジ抑制状態をエッジ抑制なしから左エッジ及び右エッジ抑制に切り替えることと、
前記タッチスクリーンがデュアル画面又はマルチ画面横画面状態からデュアル画面又はマルチ画面縦画面状態に変化したことを検出すると、前記タッチスクリーンのエッジ抑制状態をエッジ抑制なしから、左エッジ及び右エッジ抑制、隣接するタッチスクリーンのエッジ抑制なしに切り替えることとを含む、請求項１０に記載のタッチスクリーンのエッジ処理方法。
【請求項１３】
タッチスクリーンがデュアル画面又はマルチ画面状態にあると、前記タッチスクリーンの第１の表示スクリーンから隣接する第２の表示スクリーンへのスライド指令を検出することと、
前記スライド指令によって前記第１の表示スクリーンのＤＯＷＮイベント及び前記第２の表示スクリーンのＵＰイベントをトリガして報告することであって、前記第１の表示スクリーンと前記第２の表示スクリーンとの間はエッジ抑制なし状態にあることとを更に含む、請求項１０に記載のタッチスクリーンのエッジ処理方法。
【請求項１４】
携帯端末の現在のタッチスクリーンが横画面又は縦画面状態にあることを検出することは、
単一スクリーン搭載携帯端末に対し、３軸加速度センサによって携帯端末が現在横画面又は縦画面状態にあることを検出することと、
デュアルスクリーン又はマルチスクリーン搭載携帯端末に対し、ホール素子の自動検出又は機能キー切り替えの方法によって前記デュアルスクリーン又はマルチスクリーン搭載携帯端末が横画面又は縦画面状態にあることを決定することとを含む、請求項１〜７のいずれか一項に記載のタッチスクリーンのエッジ処理方法。
【請求項１５】
携帯端末の現在のタッチスクリーンが横画面又は縦画面状態にあることを検出するために用いられる検出モジュールと、
前記携帯端末の横画面又は縦画面状態に応じて、前記タッチスクリーンのエッジにエッジ抑制を設定するか、又はエッジ抑制なしを設定するかを決定するために用いられる決定モジュールと、
決定した結果に従って、前記タッチスクリーンのエッジ抑制機能を設定するために用いられる設定モジュールとを含む、タッチスクリーンのエッジ処理装置。
【請求項１６】
記憶されたプログラムを含む記憶媒体であって、前記プログラムが作動されると、請求項１〜１４のいずれか一項に記載のタッチスクリーンのエッジ処理方法を実行する、記憶媒体。
【請求項１７】
プログラムを動作させるためのプロセッサであって、前記プログラムが作動されると、請求項１〜１４のいずれか一項に記載のタッチスクリーンのエッジ処理方法を実行する、プロセッサ。
【発明の詳細な説明】
【技術分野】
【０００１】
本発明は、通信分野に関し、具体的には、タッチスクリーンのエッジ処理方法及び装置に関する。
【背景技術】
【０００２】
スマートフォンのような携帯型電子装置は、広く使用されており、スマートフォンは、一般に、入力デバイスとしてタッチスクリーンを備える。スマートフォンは、現在、静電容量式タッチスクリーンを使用することが多く、ユーザに良好な使用体験感を提供する。
【０００３】
現在、タッチスクリーン搭載スマートフォンのスクリーンサイズは、一般に５インチ以上であり、６．０インチまで更にそれより大きいものもある。図１は、関連技術における親指で画面を横切ってタッチスクリーンを操作する模式図であり、図１に示すように、片手でスマートフォンを使用する場合、右手でスマートフォンを持って親指で画面を横切って画面の左側のコンテンツをクリックする必要があるとき、親指及び／又は親指の付け根の母指球（親指が手のひらにつながっている箇所、例えば、図１のＡ箇所、以下、母指球と略記する）が右側の画面及びそのコンテンツに頻繁に触れて、誤タッチしてしまい、クリックしたい箇所がクリックされず、かえってクリックしたくない箇所がクリックされ、ユーザの意図しない結果は出てくる。
【０００４】
図２は、関連技術における単一スクリーン搭載携帯端末の模式図であり、図２に示すように、大スクリーン搭載スマートフォンの片手操作時にエッジの誤タッチ現象の発生が多いため、一部のユーザが片手操作をあっさりと放棄し、他の片手で左側の領域をクリックしなければならず、従来の解決策は、タッチスクリーンのエッジ抑制を増加させることである。従来のタッチスクリーンは、操作時にエッジの誤タッチ問題を解決するために、いずれもエッジにエッジ抑制機能を増加させ、斜線で塗りつぶされた矩形エッジ部分はエッジ抑制領域となる。
【０００５】
しかし、単一画面横画面操作の場合、図中底部のように矩形のエッジ抑制領域があるため、底部エッジのタッチが困難になり、タッチ・クリック動作などの通常の操作時に抑制され、タッチに応答しない問題があり、ユーザの体験感に大きな影響を及ぼす。
【０００６】
デュアルスクリーン搭載スマートフォンについて、図３は、関連技術におけるデュアルスクリーン搭載スマートフォンにおいて画面を跨いで操作する模式図１であり、図３に示すように、画面を跨いで操作した場合に、左スクリーンの右エッジ及び右スクリーンの左エッジの抑制により、デュアルスクリーン搭載スマートフォンのデュアル画面縦画面操作時に、スライドの過程で著しい断線や節度感を感じる。
【０００７】
図４は、関連技術におけるデュアルスクリーン搭載スマートフォンにおいて画面を跨いで操作する模式図２であり、図４に示すように、デュアルスクリーン搭載スマートフォンのデュアル画面横画面操作時に、上から下にスライドし、上下エッジをクリックすると、底部エッジのタッチが困難になり、タッチ・クリック動作などの通常の操作時に抑制され、タッチに応答しない問題がある。
【０００８】
関連技術における携帯端末のタッチスクリーンのスクリーンエッジ抑制の柔軟性が不十分である問題に対しては、未だ解決策が提案されていない。
【発明の概要】
【０００９】
本発明の実施例は、少なくとも関連技術における携帯端末のタッチスクリーンのスクリーンエッジの柔軟性が不十分である問題を解決するために、タッチスクリーンのエッジ処理方法及び装置を提供する。
【００１０】
本発明の一実施例によれば、タッチスクリーンのエッジ処理方法を提供しており、該方法は、
携帯端末の現在のタッチスクリーンが横画面又は縦画面状態にあることを検出することと、
前記携帯端末の横画面又は縦画面状態に応じて、前記タッチスクリーンのエッジにエッジ抑制を設定するか、又はエッジ抑制なしを設定するかを決定することと、
決定した結果に従って、前記タッチスクリーンのエッジ抑制機能を設定することとを含む。
【００１１】
好ましくは、前記携帯端末の横画面又は縦画面状態に応じて、前記タッチスクリーンのエッジにエッジ抑制を設定するか、又はエッジ抑制なしを設定するかを決定することは、
前記携帯端末が縦画面状態にあると、前記タッチスクリーンの左エッジ及び右エッジにエッジ抑制を設定することを決定することと、
前記携帯端末が横画面状態にあると、前記タッチスクリーンのエッジにエッジ抑制なしを設定することを決定することとを含む。
【００１２】
好ましくは、前記携帯端末が縦画面状態にあると、前記タッチスクリーンの左エッジ及び右エッジにエッジ抑制を設定することを決定することは、
前記携帯端末が単一画面縦画面状態にあると、前記タッチスクリーンの左エッジ及び右エッジにエッジ抑制を設定することを決定することと、
前記携帯端末がデュアル画面又はマルチ画面拡張縦画面状態にあると、タッチスクリーンの左エッジ及び右エッジにエッジ抑制を設定し、隣接する表示スクリーン間にエッジ抑制なしを設定することを決定することとの少なくとも１つを含む。
【００１３】
好ましくは、前記携帯端末がデュアル画面又はマルチ画面拡張縦画面状態にあると、タッチスクリーンの左エッジ及び右エッジにエッジ抑制を設定し、隣接するタッチスクリーン間にエッジ抑制なしを設定することを決定することは、
前記携帯端末がデュアル画面拡張縦画面状態にあると、左タッチスクリーンの左エッジ及び右タッチスクリーンの右エッジにエッジ抑制を設定し、左タッチスクリーンの右エッジ及び右タッチスクリーンの左エッジにエッジ抑制なしを設定することを決定すること、或いは、
前記携帯端末がマルチ画面拡張縦画面状態にあると、最左タッチスクリーンの左エッジ及び最右タッチスクリーンの右エッジにエッジ抑制を設定し、前記最左タッチスクリーンの右エッジ、中間タッチスクリーンの左右エッジ及び前記最右タッチスクリーンの左エッジにエッジ抑制なしを設定することを決定することを含む。
【００１４】
好ましくは、決定した結果に従って、前記タッチスクリーンのエッジ抑制機能を設定することは、
前記携帯端末が単一画面縦画面状態にあると、Ｉ２Ｃ又はＳＰＩバスを介して前記タッチスクリーンに左エッジ及び右エッジ抑制のタッチスクリーンプロファイルを送信することと、
前記携帯端末がデュアル画面又はマルチ画面拡張縦画面状態にあると、Ｉ２Ｃ又はＳＰＩバスを介して前記タッチスクリーンに、左エッジ及び右エッジ抑制、隣接する表示スクリーン間でエッジ抑制なしのタッチスクリーンプロファイルを送信することとを含む。
【００１５】
好ましくは、前記携帯端末が横画面状態にあると、前記タッチスクリーンのエッジにエッジ抑制なしを設定することを決定することは、
前記携帯端末が単一画面横画面状態にあると、前記タッチスクリーンのエッジにエッジ抑制なしを設定することを決定することと、
前記携帯端末がデュアル画面又はマルチ画面拡張横画面状態にあると、前記タッチスクリーンのエッジにエッジ抑制なしを設定し、隣接する表示スクリーン間にエッジ抑制なしを設定することを決定することとを含む。
【００１６】
好ましくは、決定した結果に従って、前記タッチスクリーンのエッジ抑制機能を設定することは、
前記携帯端末が単一画面横画面状態にあると、Ｉ２Ｃ又はＳＰＩバスを介して前記タッチスクリーンにエッジ抑制なしのタッチスクリーンプロファイルを送信することと、
前記携帯端末がデュアル画面又はマルチ画面拡張横画面状態にあると、Ｉ２Ｃ又はＳＰＩバスを介して前記タッチスクリーンにタッチスクリーンのエッジでエッジ抑制なし、隣接する表示スクリーン間にエッジ抑制なしのタッチスクリーンプロファイルを送信することとを含む。
【００１７】
好ましくは、前記方法は、
メモリから前記タッチスクリーンプロファイルを読み取ることと、
Ｉ２Ｃ又はＳＰＩバスを介して、読み取った前記タッチスクリーンプロファイルを前記タッチスクリーン集積回路ＩＣに送信することとを更に含む。
【００１８】
好ましくは、前記方法は、
前記携帯端末のタッチスクリーン状態が変化するか否かを検出することと、
前記携帯端末のタッチスクリーン状態が変化した場合、前記タッチスクリーン状態の変化状況に従って、前記携帯端末のタッチスクリーンのエッジ抑制領域を変更することとを更に含む。
【００１９】
好ましくは、前記タッチスクリーン状態の変化状況に従って、前記携帯端末のタッチスクリーンのエッジ抑制領域を変更することは、
前記タッチスクリーンが縦画面状態から横画面状態に変化したことを検出すると、前記タッチスクリーンのエッジ抑制状態を左エッジ及び右エッジ抑制からエッジ抑制なしに切り替えること、或いは、
前記タッチスクリーンが横画面状態から縦画面状態に変化したことを検出すると、前記タッチスクリーンのエッジ抑制状態をエッジ抑制なしから左エッジ及び右エッジ抑制に切り替えることを含む。
【００２０】
好ましくは、前記タッチスクリーンが縦画面状態から横画面状態に変化したことを検出すると、前記タッチスクリーンのエッジ抑制状態を左エッジ及び右エッジ抑制からエッジ抑制なしに切り替えることは、
前記タッチスクリーンが単一画面縦画面状態から単一画面横画面状態に変化したことを検出すると、前記タッチスクリーンのエッジ抑制状態を左エッジ及び右エッジ抑制からタッチスクリーンのエッジ抑制なしに切り替えることと、
前記タッチスクリーンがデュアル画面又はマルチ画面縦画面状態からデュアル画面又はマルチ画面横画面状態に変化したことを検出すると、前記タッチスクリーンのエッジ抑制状態を、左エッジ及び右エッジ抑制、隣接する表示スクリーン間でエッジ抑制なしから、タッチスクリーンのエッジ抑制なしに切り替えることとを含む。
【００２１】
好ましくは、前記タッチスクリーンが横画面状態から縦画面状態に変化したことを検出すると、前記タッチスクリーンのエッジ抑制状態をエッジ抑制なしから左エッジ及び右エッジ抑制に切り替えることは、
前記タッチスクリーンが単一画面横画面状態から単一画面縦画面状態に変化したことを検出すると、前記タッチスクリーンのエッジ抑制状態をタッチスクリーンのエッジ抑制なしから左エッジ及び右エッジ抑制に切り替えることと、
前記タッチスクリーンがデュアル画面又はマルチ画面横画面状態からデュアル画面又はマルチ画面縦画面状態に変化したことを検出すると、前記タッチスクリーンのエッジ抑制状態をタッチスクリーンのエッジ抑制なしから、左エッジ及び右エッジ抑制、隣接する表示スクリーン間でエッジ抑制なしに切り替えることとを含む。
【００２２】
好ましくは、前記方法は、
タッチスクリーンがデュアル画面又はマルチ画面状態にあると、前記タッチスクリーンの第１の表示スクリーンから隣接する第２の表示スクリーンへのスライド指令を検出することと、
前記スライド指令によって前記第１の表示スクリーンのＤＯＷＮイベント及び前記第２の表示スクリーンのＵＰイベントをトリガして報告することであって、前記第１の表示スクリーンと前記第２の表示スクリーンとの間はエッジ抑制なし状態にあることとを更に含む。
【００２３】
好ましくは、携帯端末の現在のタッチスクリーンが横画面又は縦画面状態にあることを検出することは、
単一スクリーン搭載携帯端末に対し、３軸加速度センサによって携帯端末が現在横画面又は縦画面状態にあることを検出することと、
デュアルスクリーン又はマルチスクリーン搭載携帯端末に対し、ホール素子の自動検出又は機能キー切り替えの方法によって前記デュアルスクリーン又はマルチスクリーン搭載携帯端末が横画面又は縦画面状態にあることを決定することとを含む。
【００２４】
本発明の他実施例によれば、タッチスクリーンのエッジ処理装置を更に提供しており、該装置は、
携帯端末の現在のタッチスクリーンが横画面又は縦画面状態にあることを検出するように構成される検出モジュールと、
前記携帯端末の横画面又は縦画面状態に応じて、前記タッチスクリーンのエッジにエッジ抑制を設定するか、又はエッジ抑制なしを設定するかを決定するように構成される決定モジュールと、
決定した結果に従って、前記タッチスクリーンのエッジ抑制機能を設定するように構成される設定モジュールとを含む。
【００２５】
好ましくは、前記決定モジュールは、
前記携帯端末が縦画面状態にあると、前記タッチスクリーンの左エッジ及び右エッジにエッジ抑制を設定することを決定するように構成される第１の決定ユニットと、
前記携帯端末が横画面状態にあると、前記タッチスクリーンのエッジにエッジ抑制なしを設定することを決定するように構成される第２の決定ユニットとを含む。
【００２６】
好ましくは、前記第１の決定ユニットは、
前記携帯端末が単一画面縦画面状態にあると、前記タッチスクリーンの左エッジ及び右エッジにエッジ抑制を設定することを決定するように構成される第１の決定サブモジュールと、
前記携帯端末がデュアル画面又はマルチ画面拡張縦画面状態にあると、タッチスクリーンの左エッジ及び右エッジにエッジ抑制を設定し、隣接する表示スクリーン間にエッジ抑制なしを設定することを決定するように構成される第２の決定サブモジュールとの少なくとも１つを含む。
【００２７】
好ましくは、前記第２の決定サブユニットは、更に、
前記携帯端末がデュアル画面拡張縦画面状態にあると、左タッチスクリーンの左エッジ及び右タッチスクリーンの右エッジにエッジ抑制を設定し、左タッチスクリーンの右エッジ及び右タッチスクリーンの左エッジにエッジ抑制なしを設定することを決定し、或いは、
前記携帯端末がマルチ画面拡張縦画面状態にあると、最左タッチスクリーンの左エッジ及び最右タッチスクリーンの右エッジにエッジ抑制を設定し、前記最左タッチスクリーンの右エッジ、中間タッチスクリーンの左右エッジ及び前記最右タッチスクリーンの左エッジにエッジ抑制なしを設定することを決定するように構成される。
【００２８】
好ましくは、前記設定モジュールは、
前記携帯端末が単一画面縦画面状態にあると、Ｉ２Ｃ又はＳＰＩバスを介して前記タッチスクリーンに左エッジ及び右エッジ抑制のタッチスクリーンプロファイルを送信するように構成される第１の送信ユニットと、
前記携帯端末がデュアル画面又はマルチ画面拡張縦画面状態にあると、Ｉ２Ｃ又はＳＰＩバスを介して前記タッチスクリーンに、左エッジ及び右エッジ抑制、隣接する表示スクリーン間でエッジ抑制なしのタッチスクリーンプロファイルを送信するように構成される第２の送信ユニットとを含む。
【００２９】
好ましくは、前記第２の決定ユニットは、
前記携帯端末が単一画面横画面状態にあると、前記タッチスクリーンのエッジにエッジ抑制なしを設定することを決定するように構成される第３の決定サブユニットと、
前記携帯端末がデュアル画面又はマルチ画面拡張横画面状態にあると、前記タッチスクリーンのエッジにエッジ抑制なしを設定し、隣接する表示スクリーン間にエッジ抑制なしを設定することを決定するように構成される第４の決定サブユニットとを含む。
【００３０】
好ましくは、前記設定モジュールは、
前記携帯端末が単一画面横画面状態にあると、Ｉ２Ｃ又はＳＰＩバスを介して前記タッチスクリーンにエッジ抑制なしのタッチスクリーンプロファイルを送信するように構成される第３の送信ユニットと、
前記携帯端末がデュアル画面又はマルチ画面拡張横画面状態にあると、Ｉ２Ｃ又はＳＰＩバスを介して前記タッチスクリーンにタッチスクリーンのエッジでエッジ抑制なし、隣接する表示スクリーン間でエッジ抑制なしのタッチスクリーンプロファイルを送信するように構成される第４の送信ユニットとを含む。
【００３１】
好ましくは、前記装置は、更に、
メモリから前記タッチスクリーンプロファイルを読み取るように構成される取得ユニットと、
Ｉ２Ｃ又はＳＰＩバスを介して、読み取った前記タッチスクリーンプロファイルを前記タッチスクリーン集積回路ＩＣに送信するように構成される第５の送信ユニットとを含む。
【００３２】
好ましくは、前記装置は、更に、
前記携帯端末のタッチスクリーン状態が変化するか否かを検出するように構成される検出モジュールと、
前記携帯端末のタッチスクリーン状態が変化した場合、前記タッチスクリーン状態の変化状況に従って、前記携帯端末のタッチスクリーンのエッジ抑制領域を変更するように構成される変更モジュールとを含む。
【００３３】
好ましくは、前記変更モジュールは、
前記タッチスクリーンが縦画面状態から横画面状態に変化したことを検出すると、前記タッチスクリーンのエッジ抑制状態を左エッジ及び右エッジ抑制からエッジ抑制なしに切り替えるように構成される第１の切り替えユニット、或いは、
前記タッチスクリーンが横画面状態から縦画面状態に変化したことを検出すると、前記タッチスクリーンのエッジ抑制状態をエッジ抑制なしから左エッジ及び右エッジ抑制に切り替えるように構成される第２の切り替えユニットを含む。
【００３４】
好ましくは、前記第１の切り替えユニットは、更に、
前記タッチスクリーンが単一画面縦画面状態から単一画面横画面状態に変化したことを検出すると、前記タッチスクリーンのエッジ抑制状態を左エッジ及び右エッジ抑制からタッチスクリーンのエッジ抑制なしに切り替え、
前記タッチスクリーンがデュアル画面又はマルチ画面縦画面状態からデュアル画面又はマルチ画面横画面状態に変化したことを検出すると、前記タッチスクリーンのエッジ抑制状態を、左エッジ及び右エッジ抑制、隣接する表示スクリーン間でエッジ抑制なしから、タッチスクリーンのエッジ抑制なしに切り替えるように構成される。
【００３５】
好ましくは、前記第２の切り替えユニットは、更に、
前記タッチスクリーンが単一画面横画面状態から単一画面縦画面状態に変化したことを検出すると、前記タッチスクリーンのエッジ抑制状態をタッチスクリーンのエッジ抑制なしから左エッジ及び右エッジ抑制に切り替え、
前記タッチスクリーンがデュアル画面又はマルチ画面横画面状態からデュアル画面又はマルチ画面縦画面状態に変化したことを検出すると、前記タッチスクリーンのエッジ抑制状態をタッチスクリーンのエッジ抑制なしから、左エッジ及び右エッジ抑制、隣接する表示スクリーン間でエッジ抑制なしに切り替えるように構成される。
【００３６】
好ましくは、前記装置は、更に、
タッチスクリーンがデュアル画面又はマルチ画面状態にあると、前記タッチスクリーンの第１の表示スクリーンから隣接する第２の表示スクリーンへのスライド指令を検出するように構成される検出ユニットと、
前記スライド指令によって前記第１の表示スクリーンのＤＯＷＮイベント及び前記第２の表示スクリーンのＵＰイベントをトリガして報告するように構成される報告ユニットであって、前記第１の表示スクリーンと前記第２の表示スクリーンとの間はエッジ抑制なし状態にある報告ユニットとを含む。
【００３７】
好ましくは、前記検出モジュールは、更に、
単一スクリーン搭載携帯端末に対し、３軸加速度センサによって携帯端末が現在横画面又は縦画面状態にあることを検出し、
デュアルスクリーン又はマルチスクリーン搭載携帯端末に対し、ホール素子の自動検出又は機能キー切り替えの方法によって前記デュアルスクリーン又はマルチスクリーン搭載携帯端末が横画面又は縦画面状態にあることを決定するように構成される。
【００３８】
本発明の他実施例によれば、記憶されたプログラムを含む記憶媒体を更に提供しており、前記プログラムが作動されると、上記のいずれか一項に記載の方法を実行する。
【００３９】
本発明の他実施例によれば、プログラムを動作させるためのプロセッサを更に提供しており、前記プログラムが作動されると、上記のいずれか一項に記載の方法を実行する。
【００４０】
本発明により、携帯端末の現在のタッチスクリーンが横画面又は縦画面状態にあることを検出し、前記携帯端末の横画面又は縦画面状態に応じて、前記タッチスクリーンのエッジにエッジ抑制を設定するか、又はエッジ抑制なしを設定するかを決定し、決定した結果に従って、前記タッチスクリーンのエッジ抑制機能を設定し、関連技術における携帯端末のタッチスクリーンのスクリーンエッジ抑制の柔軟性が不十分である問題を解決し、携帯端末のタッチスクリーンのスクリーンエッジ抑制機能の柔軟な設定を実現し、使用の利便性が向上し、ユーザの体験感が向上する。
【図面の簡単な説明】
【００４１】
ここで説明される図面は、本発明の更なる理解を提供するために使用され、本願の一部に構成され、本発明の模式的な実施例及びその説明は、本発明を説明するために使用され、本発明に対する不適切な限定を構成するものではない。
【００４２】
図面において、
図１は、関連技術における親指で画面を横切ってタッチスクリーンを操作する模式図である。
図２は、関連技術における単一スクリーン搭載携帯端末の模式図である。
図３は、関連技術におけるデュアルスクリーン搭載スマートフォンにおいて画面を跨いで操作する模式図１である。
図４は、関連技術におけるデュアルスクリーン搭載スマートフォンにおいて画面を跨いで操作する模式図２である。
図５は、本発明の実施例に係る携帯端末のハードウェア構成のブロック図である。
図６は、本発明の実施例に係るタッチスクリーンのエッジ処理方法のフローチャートである。
図７は、本発明の実施例に係るマルチスクリーン搭載携帯端末の模式図である。
図８は、本発明の実施例に係る単一スクリーン搭載携帯端末の横画面でエッジ抑制を設定する模式図である。
図９は、本発明の実施例に係るデュアルスクリーン搭載携帯端末の縦画面でエッジ抑制を設定する模式図である。
図１０は、本発明の実施例に係るデュアルスクリーン搭載携帯端末の横画面でエッジ抑制を設定する模式図である。
図１１は、本発明の実施例に係るマルチスクリーン搭載携帯端末の縦画面でエッジ抑制を設定する模式図１である。
図１２は、本発明の実施例に係るマルチスクリーン搭載携帯端末の縦画面でエッジ抑制を設定する模式図２である。
図１３は、本発明の実施例に係るマルチスクリーン搭載携帯端末の横画面でエッジ抑制を設定する模式図１である。
図１４は、本発明の実施例に係るマルチスクリーン搭載携帯端末の横画面でエッジ抑制を設定する模式図２である。
図１５は、本発明の実施例に係るタッチスクリーンのエッジ処理装置のブロック図である。
【発明を実施するための形態】
【００４３】
以下、図面を参照しながら実施例によって本発明を説明する。なお、衝突しない場合、本願における実施例及び実施例の特徴は、互いに組み合わせることができる。
【００４４】
なお、本発明の明細書、請求項及び上記図面における用語「第１の」、「第２の」などは、類似な対象を区分するために使用され、特定の順序又は優先順位を説明するために使用する必要がない。
【００４５】
実施例１
本願の実施例１に係る方法の実施例は、携帯端末、コンピュータ端末又は類似な演算装置で実行可能である。携帯端末で作動させることを例として、図５は、本発明の実施例に係る携帯端末のハードウェア構成のブロック図であり、図５に示すように、携帯端末１０は、１つ又は２つの（図に１つのみ示す）プロセッサ１０２（プロセッサ１０２は、マイクロプロセッサＭＣＵ又はプログラマブルロジック素子ＦＰＧＡなどの処理装置を含んでもよいが、これらに限定されない。）と、データを記憶するためのメモリ１０４と、通信機能のための伝送装置１０６とを含んでもよい。当業者は、図５に示す構造が模式的なのものに過ぎず、上記電子装置の構造を限定しないことを理解できる。例えば、携帯端末１０は、図５に示すものよりも多い又は少ない構成要素を更に含んでもよく、或いは、図５に示すものとは異なる構成を有してもよい。
【００４６】
メモリ１０４は、アプリケーションのソフトウェアプログラム及びモジュールを記憶するために使用可能であり、例えば、本発明の実施例に係るセットトップボックスをＤＨＣＰに対応するプログラム指令／モジュールに接続させ、プロセッサ１０２は、メモリ１０４に記憶されたソフトウェアプログラム及びモジュールを作動させることにより、様々な機能の適用及びデータの処理を実行し、すなわち、上記の方法を実現する。メモリ１０４は、高速ランダムアクセスメモリを含んでもよく、１つ又は２つの磁気記憶装置、フラッシュメモリ又は他の不揮発性固体メモリなどの不揮発性メモリを含んでもよい。いくつかの実例では、メモリ１０４は、プロセッサ１０２に対してリモートに配置されたメモリを含んでもよく、これらのリモートメモリは、ネットワークを介して携帯端末１０に接続されてもよい。上記ネットワークの実例としては、インターネット、企業イントラネット、ローカルエリアネットワーク、移動体通信ネットワーク及びこれらの組合せを含んでもよいが、これらに限定されない。
【００４７】
伝送装置１０６は、ネットワークを介してデータを送受信するためのものである。上記ネットワークの具体的な実例としては、携帯端末１０の通信事業者が提供する無線ネットワークを含んでもよい。一実例において、伝送装置１０６は、基地局を介して他のネットワーク装置に接続されることでインターネットと通信可能であるネットワークアダプタ（Ｎｅｔｗｏｒｋ  Ｉｎｔｅｒｆａｃｅ  Ｃｏｎｔｒｏｌｌｅｒ、ＮＩＣ）を含む。一実例において、伝送装置１０６は、無線方式でインターネットと通信するための無線周波数（Ｒａｄｉｏ  Ｆｒｅｑｕｅｎｃｙ、ＲＦ）モジュールであってもよい。
【００４８】
上記携帯端末に基づいて、本実施例にタッチスクリーンのエッジ処理方法を提供し、図６は、本発明の実施例に係るタッチスクリーンのエッジ処理方法のフローチャートであり、図６に示すように、該フローは、
携帯端末の現在のタッチスクリーンが横画面又は縦画面状態にあることを検出するステップＳ６０２と、
前記携帯端末の横画面又は縦画面状態に応じて、前記タッチスクリーンのエッジにエッジ抑制を設定するか、又はエッジ抑制なしを設定するかを決定するステップＳ６０４と、
決定した結果に従って、前記タッチスクリーンのエッジ抑制機能を設定するステップＳ６０６とを含む。
【００４９】
上記ステップにより、携帯端末の現在のタッチスクリーンが横画面又は縦画面状態にあることを検出し、前記携帯端末の横画面又は縦画面状態に応じて、前記タッチスクリーンのエッジにエッジ抑制を設定するか、又はエッジ抑制なしを設定するかを決定し、決定した結果に従って、前記タッチスクリーンのエッジ抑制機能を設定し、関連技術における携帯端末のタッチスクリーンのスクリーンエッジ抑制の柔軟性が不十分である問題を解決し、携帯端末のタッチスクリーンのスクリーンエッジ抑制機能の柔軟な設定を実現し、使用の利便性が向上し、ユーザの体験感が向上する。
【００５０】
好ましくは、前記携帯端末の横画面又は縦画面状態に応じて、前記タッチスクリーンのエッジにエッジ抑制を設定するか、又はエッジ抑制なしを設定するかを決定することは、前記携帯端末が縦画面状態にあると、前記タッチスクリーンの左エッジ及び右エッジにエッジ抑制を設定することを決定することと、前記携帯端末が横画面状態にあると、前記タッチスクリーンのエッジにエッジ抑制なしを設定することを決定することとを含む。
【００５１】
好ましくは、前記携帯端末が縦画面状態にあると、前記タッチスクリーンの左エッジ及び右エッジにエッジ抑制を設定することを決定することは、前記携帯端末が単一画面縦画面状態にあると、前記タッチスクリーンの左エッジ及び右エッジにエッジ抑制を設定することを決定することと、前記携帯端末がデュアル画面又はマルチ画面拡張縦画面状態にあると、タッチスクリーンの左エッジ及び右エッジにエッジ抑制を設定し、隣接する表示スクリーン間にエッジ抑制なしを設定することを決定することとの少なくとも１つを含む。
【００５２】
好ましくは、前記携帯端末がデュアル画面又はマルチ画面拡張縦画面状態にあると、タッチスクリーンの左エッジ及び右エッジにエッジ抑制を設定し、隣接するタッチスクリーン間にエッジ抑制なしを設定することを決定することは、前記携帯端末がデュアル画面拡張縦画面状態にあると、左タッチスクリーンの左エッジ及び右タッチスクリーンの右エッジにエッジ抑制を設定し、左タッチスクリーンの右エッジ及び右タッチスクリーンの左エッジにエッジ抑制なしを設定することを決定すること、或いは、前記携帯端末がマルチ画面拡張縦画面状態にあると、最左タッチスクリーンの左エッジ及び最右タッチスクリーンの右エッジにエッジ抑制を設定し、前記最左タッチスクリーンの右エッジ、中間タッチスクリーンの左右エッジ及び前記最右タッチスクリーンの左エッジにエッジ抑制なしを設定することを決定することを含む。
【００５３】
好ましくは、決定した結果に従って、前記タッチスクリーンのエッジ抑制機能を設定することは、前記携帯端末が単一画面縦画面状態にあると、Ｉ２Ｃ又はＳＰＩバスを介して前記タッチスクリーンに左エッジ及び右エッジ抑制のタッチスクリーンプロファイルを送信することと、前記携帯端末がデュアル画面又はマルチ画面拡張縦画面状態にあると、内蔵集積回路（Ｉｎｔｅｒ−Ｉｎｔｅｇｒａｔｅｄ  Ｃｉｒｃｕｉｔ，Ｉ２Ｃと略記する）又はシリアル・ペリフェラル・インタフェース（Ｓｅｒｉａｌ  Ｐｅｒｉｐｈｅｒａｌ  Ｉｎｔｅｒｆａｃｅ，ＳＰＩと略記する）バスを介して、前記タッチスクリーンに、左エッジ及び右エッジ抑制、隣接する表示スクリーン間でエッジ抑制なしのタッチスクリーンプロファイルを送信することとを含む。
【００５４】
好ましくは、前記携帯端末が横画面状態にあると、前記タッチスクリーンのエッジにエッジ抑制なしを設定することを決定することは、前記携帯端末が単一画面横画面状態にあると、前記タッチスクリーンのエッジにエッジ抑制なしを設定することを決定することと、前記携帯端末がデュアル画面又はマルチ画面拡張横画面状態にあると、前記タッチスクリーンのエッジにエッジ抑制なしを設定し、隣接する表示スクリーン間にエッジ抑制なしを設定することを決定することとを含む。
【００５５】
好ましくは、決定した結果に従って、前記タッチスクリーンのエッジ抑制機能を設定することは、前記携帯端末が単一画面横画面状態にあると、Ｉ２Ｃ又はＳＰＩバスを介して前記タッチスクリーンにエッジ抑制なしのタッチスクリーンプロファイルを送信することと、前記携帯端末がデュアル画面又はマルチ画面拡張横画面状態にあると、Ｉ２Ｃ又はＳＰＩバスを介して前記タッチスクリーンにタッチスクリーンのエッジでエッジ抑制なし、隣接する表示スクリーン間でエッジ抑制なしのタッチスクリーンプロファイルを送信することとを含む。
【００５６】
好ましくは、前記方法は、メモリから前記タッチスクリーンプロファイルを読み取ることと、Ｉ２Ｃ又はＳＰＩバスを介して、読み取った前記タッチスクリーンプロファイルを前記タッチスクリーン集積回路（ｉｎｔｅｇｒａｔｅ  ｃｉｒｃｕｉｔ，ＩＣと略記する）に送信することとを更に含む。
【００５７】
好ましくは、前記方法は、前記携帯端末のタッチスクリーン状態が変化するか否かを検出することと、前記携帯端末のタッチスクリーン状態が変化した場合、前記タッチスクリーン状態の変化状況に従って、前記携帯端末のタッチスクリーンのエッジ抑制領域を変更することとを更に含む。
【００５８】
好ましくは、前記タッチスクリーン状態の変化状況に従って、前記携帯端末のタッチスクリーンのエッジ抑制領域を変更することは、前記タッチスクリーンが縦画面状態から横画面状態に変化したことを検出すると、前記タッチスクリーンのエッジ抑制状態を左エッジ及び右エッジ抑制からエッジ抑制なしに切り替えること、或いは、前記タッチスクリーンが横画面状態から縦画面状態に変化したことを検出すると、前記タッチスクリーンのエッジ抑制状態をエッジ抑制なしから左エッジ及び右エッジ抑制に切り替えることを含む。
【００５９】
好ましくは、前記タッチスクリーンが縦画面状態から横画面状態に変化したことを検出すると、前記タッチスクリーンのエッジ抑制状態を左エッジ及び右エッジ抑制からエッジ抑制なしに切り替えることは、前記タッチスクリーンが単一画面縦画面状態から単一画面横画面状態に変化したことを検出すると、前記タッチスクリーンのエッジ抑制状態を左エッジ及び右エッジ抑制からタッチスクリーンのエッジ抑制なしに切り替えることと、前記タッチスクリーンがデュアル画面又はマルチ画面縦画面状態からデュアル画面又はマルチ画面横画面状態に変化したことを検出すると、前記タッチスクリーンのエッジ抑制状態を、左エッジ及び右エッジ抑制、隣接する表示スクリーン間でエッジ抑制なしから、タッチスクリーンのエッジ抑制なしに切り替えることとを含む。
【００６０】
好ましくは、前記タッチスクリーンが横画面状態から縦画面状態に変化したことを検出すると、前記タッチスクリーンのエッジ抑制状態をエッジ抑制なしから左エッジ及び右エッジ抑制に切り替えることは、前記タッチスクリーンが単一画面横画面状態から単一画面縦画面状態に変化したことを検出すると、前記タッチスクリーンのエッジ抑制状態をタッチスクリーンのエッジ抑制なしから左エッジ及び右エッジ抑制に切り替えることと、前記タッチスクリーンがデュアル画面又はマルチ画面横画面状態からデュアル画面又はマルチ画面縦画面状態に変化したことを検出すると、前記タッチスクリーンのエッジ抑制状態をタッチスクリーンのエッジ抑制なしから、左エッジ及び右エッジ抑制、隣接する表示スクリーン間でエッジ抑制なしに切り替えることとを含む。
【００６１】
好ましくは、前記方法は、タッチスクリーンがデュアル画面又はマルチ画面状態にあると、前記タッチスクリーンの第１の表示スクリーンから隣接する第２の表示スクリーンへのスライド指令を検出することと、前記スライド指令によって前記第１の表示スクリーンのＤＯＷＮイベント及び前記第２の表示スクリーンのＵＰイベントをトリガして報告することであって、前記第１の表示スクリーンと前記第２の表示スクリーンとの間はエッジ抑制なし状態にあることとを更に含む。
【００６２】
好ましくは、携帯端末の現在のタッチスクリーンが横画面又は縦画面状態にあることを検出することは、単一スクリーン搭載携帯端末に対し、３軸加速度センサによって携帯端末が現在横画面又は縦画面状態にあることを検出することと、デュアルスクリーン又はマルチスクリーン搭載携帯端末に対し、ホール素子の自動検出又は機能キー切り替えの方法によって前記デュアルスクリーン又はマルチスクリーン搭載携帯端末が横画面又は縦画面状態にあることを決定することとを含む。
【００６３】
異なる操作シーンにおけるタッチスクリーンのエッジ抑制に起因するタッチに応答しないイベント、例えば、単一スクリーン搭載スマートフォンの横画面操作時に、上下エッジのタッチ反応の感度が低く、タッチに応答しない問題と、デュアルスクリーン搭載スマートフォンの操作時に、横画面で画面を跨いで左右スライド操作の過程で著しい断線や節度感を感じる問題と、デュアルスクリーン搭載スマートフォンの縦画面操作時に、上下スライド操作の過程で著しい断線や節度感を感じて、そして上下エッジのタッチ感度が低くて応答しない問題を解決するために、本発明の実施例は、従来技術における携帯端末の操作時に頻繁に発生するエッジ抑制によるタッチの不応答、断線、感度不良現象を解決し、電子装置の使用の利便性を向上させ、ユーザの体験感を向上させるためのタッチスクリーンのエッジ抑制を柔軟に処理する装置及び方法を提供する。マートフォンが現在に横画面又は縦画面状態にあることを加速度によって自動的に検出する。単一画面縦画面で表示される時に、タッチスクリーンの左側と右側はエッジ抑制領域になり、単一画面横画面の操作時に、タッチスクリーンの上下左右の領域はいずれもエッジ抑制を実行しない。図７は、本発明の実施例に係るマルチスクリーン搭載携帯端末の模式図であり、図７に示すように、第１の表示タッチスクリーン、第２の表示タッチスクリーン、……、第Ｎの表示タッチスクリーンは、中央処理装置ＣＰＵに接続され、ＣＰＵの制御で作動し、携帯端末は、メモリと、加速度センサと、他の周辺機器とを更に含む。デュアル画面拡張縦画面で表示される時に、左タッチスクリーンの左エッジ及び右タッチスクリーンの右エッジを抑制し、左タッチスクリーンの右エッジ及び右タッチスクリーンの左エッジを抑制せず、デュアル画面拡張横画面で表示される時に、上タッチスクリーンの上下左右はいずれもエッジ抑制を実行せず、下タッチスクリーンの上下左右はいずれもエッジ抑制を実行しない。
【００６４】
本発明の実施例は、一部のシーンでタッチスクリーンのエッジ抑制によるタッチの不応答、感度不良を除去するためのタッチスクリーンのエッジ抑制の柔軟な処理及び設定方法を提供しており、該方法は、以下の態様を含む。
第１の態様では、図８は、本発明の実施例に係る単一スクリーン搭載携帯端末の横画面でエッジ抑制を設定する模式図であり、図８に示すように、単一画面動作モード又は単一スクリーン搭載携帯端末の場合、加速度の方向によってスマートフォンが横画面にあるか、又は縦画面状態にあるかを判断する。縦画面で作動する場合、プロセッサは、Ｉ２Ｃ又はＳＰＩバスを介してタッチスクリーンに左エッジ抑制のタッチスクリーンプロファイルを送信し、横画面で作動する場合、プロセッサは、Ｉ２Ｃ又はＳＰＩバスを介してタッチスクリーンにエッジ抑制なしのタッチスクリーンプロファイルを送信する。
第２の態様では、デュアル画面動作モードの場合、加速度の方向によってスマートフォンのデュアル画面で作動時に横画面にあるか、又は縦画面状態にあるかを判断する。
【００６５】
図９は、本発明の実施例に係るデュアルスクリーン搭載携帯端末の縦画面でエッジ抑制を設定する模式図であり、図９に示すように、縦画面で作動する場合、プロセッサは、Ｉ２Ｃ又はＳＰＩバスを介して左タッチスクリーンに左エッジを抑制し、右エッジを抑制しないタッチスクリーンプロファイルを送信し、プロセッサは、Ｉ２Ｃ又はＳＰＩバスを介して右タッチスクリーンに左エッジを抑制せず、右エッジを抑制するタッチスクリーンプロファイルを送信する。
【００６６】
図１０は、本発明の実施例に係るデュアルスクリーン搭載携帯端末の横画面でエッジ抑制を設定する模式図であり、図１０に示すように、横画面で作動する場合、プロセッサは、Ｉ２Ｃ又はＳＰＩバスを介して上タッチスクリーンに左右エッジを共に抑制しないタッチスクリーンプロファイルを送信し、プロセッサは、Ｉ２Ｃ又はＳＰＩバスを介して下タッチスクリーンに左右エッジを共に抑制しないタッチスクリーンプロファイルを送信する。
【００６７】
図１１は、本発明の実施例に係るマルチスクリーン搭載携帯端末の縦画面でエッジ抑制を設定する模式図１であり、図１１に示すように、マルチ画面縦画面で作動する場合、プロセッサは、Ｉ２Ｃ又はＳＰＩバスを介して左タッチスクリーンに第１の表示タッチスクリーンの左エッジを抑制し、第Ｎの表示タッチスクリーンの右エッジを抑制するタッチスクリーンプロファイルを送信し、プロセッサは、Ｉ２Ｃ又はＳＰＩバスを介して、第１の表示タッチスクリーンの右エッジ抑制なし、第Ｎの表示タッチスクリーンの左エッジ抑制なし、第２の表示タッチスクリーン〜第Ｎ−１の表示タッチスクリーンの各左右エッジ抑制なしのタッチスクリーンプロファイルを送信する。
【００６８】
図１２は、本発明の実施例に係るマルチスクリーン搭載携帯端末の縦画面でエッジ抑制を設定する模式図２であり、図１２に示すように、Ｉ２Ｃ又はＳＰＩバスを介して最左タッチスクリーンに左エッジを抑制し、且つ右エッジを抑制しないタッチスクリーンプロファイルを送信し、最右タッチスクリーンに左エッジを抑制せず、且つ右エッジを抑制するタッチスクリーンプロファイルを送信し、中間タッチスクリーンに左右エッジを抑制しないタッチスクリーンプロファイルを送信する。
【００６９】
図１３は、本発明の実施例に係るマルチスクリーン搭載携帯端末の横画面でエッジ抑制を設定する模式図１であり、図１４は、本発明の実施例に係るマルチスクリーン搭載携帯端末の横画面でエッジ抑制を設定する模式図２であり、図１３及び１４に示すように、横画面で作動する場合、プロセッサは、Ｉ２Ｃ又はＳＰＩバスを介して第１の表示タッチスクリーン〜第Ｎの表示タッチスクリーンに上下左右エッジをいずれも抑制しないタッチスクリーンプロファイルを送信する。上から下にスライドし、上下エッジをクリックすると、底部エッジのタッチが困難になり、タッチ・クリック動作などの通常の操作時に抑制され、タッチに応答しない問題がある。
【００７０】
画面を跨いで操作する際、ある画面から別の画面へスライドしたとき、タッチスクリーンは、１つのＤｏｗｎイベントを先に報告し、最初の画面からスライドしたとき、タッチスクリーンは、１つのＵｐイベントを報告し、別の画面へスライドしたとき、タッチスクリーンは、１つのＤｏｗｎイベントを続けて報告し、最後に指を持ち上げるとき、再度、１つのＵｐイベントを報告し、つまり、完全なフローは以下の通りであり、第１の表示画面から第２の表示画面へ連続的にスライドした場合、その過程で、第１の表示スクリーンがＤｏｗｎイベントを報告し→第１の表示スクリーンがＵｐイベントを報告し→第２の表示スクリーンがＤｏｗｎイベントを報告し→第２の表示スクリーンがＵｐイベントを報告し、そのうち、第１の表示スクリーンがＤｏｗｎイベントを報告し→第２の表示スクリーンがＵｐイベントを報告する過程で断線があり、通常、この断線を処理するために遅延時間判断を加え、タイムアウト時間内に第２の表示スクリーンのＤｏｗｎイベントがあれば、第１の表示スクリーンのエッジＵｐイベントを破棄し、完全なスライド操作を形成する。
【００７１】
したがって、本発明に係る連結する２つのスクリーン間にエッジを抑制しない形態を採用すれば、タイムアウト待ち時間の設定を減少させることで、ユーザの体験感を更に向上させることができる。
【００７２】
特に、３軸加速度センサの（ｘ，ｙ，ｚ）の値によってスマートフォンの現在の姿勢を算出できる。例えば、現在のスマートフォンの自動回転機能は、加速度センサの値によって角度を計算することにより、自動縦横画面の切り替えを実現することである。例えば、スマートフォンが横画面で地面と水平であるとき、加速度センサの３軸の値はそれぞれ（ｘ＝９．８ｍ／ｓ＾２、ｙ＝０、ｚ＝０）である。
【００７３】
そのうち、特にデュアルスクリーン搭載スマートフォンに対し、ホール素子の自動検出により又は機能キー切り替えの方法によってデュアルスクリーン搭載スマートフォンの作動状態を確認可能であり、作動状態は、単一画面動作モードとデュアルス画面動作モードとを含む。
【００７４】
そのうち、単一画面動作モードは、第１の表示スクリーンのみ作動してよく、第２の表示スクリーンのみ作動してもよい。タッチスクリーンのエッジ抑制の自動調整方法は、第１の表示スクリーンに適用され、第２の表示スクリーンにも適用される。
【００７５】
実施例２
本発明の他実施例によれば、タッチスクリーンのエッジ処理装置を更に提供しており、図１５は、本発明の実施例に係るタッチスクリーンのエッジ処理装置のブロック図であり、図１５に示すように、該装置は、
携帯端末の現在のタッチスクリーンが横画面又は縦画面状態にあることを検出するために用いられる検出モジュール１５２と、
前記携帯端末の横画面又は縦画面状態に応じて、前記タッチスクリーンのエッジにエッジ抑制を設定するか、又はエッジ抑制なしを設定するかを決定するために用いられる決定モジュール１５４と、
決定した結果に従って、前記タッチスクリーンのエッジ抑制機能を設定するために用いられる設定モジュール１５６とを含む。
【００７６】
好ましくは、前記決定モジュール１５４は、
前記携帯端末が縦画面状態にあると、前記タッチスクリーンの左エッジ及び右エッジにエッジ抑制を設定することを決定するために用いられる第１の決定ユニットと、
前記携帯端末が横画面状態にあると、前記タッチスクリーンのエッジにエッジ抑制なしを設定することを決定するために用いられる第２の決定ユニットとを含む。
【００７７】
好ましくは、前記第１の決定ユニットは、
前記携帯端末が単一画面縦画面状態にあると、前記タッチスクリーンの左エッジ及び右エッジにエッジ抑制を設定することを決定するために用いられる第１の決定サブモジュールと、
前記携帯端末がデュアル画面又はマルチ画面拡張縦画面状態にあると、タッチスクリーンの左エッジ及び右エッジにエッジ抑制を設定し、隣接する表示スクリーン間にエッジ抑制なしを設定することを決定するために用いられる第２の決定サブモジュールとの少なくとも１つを含む。
【００７８】
好ましくは、前記第２の決定サブユニットは、更に、
前記携帯端末がデュアル画面拡張縦画面状態にあると、左タッチスクリーンの左エッジ及び右タッチスクリーンの右エッジにエッジ抑制を設定し、左タッチスクリーンの右エッジ及び右タッチスクリーンの左エッジにエッジ抑制なしを設定することを決定し、或いは、
前記携帯端末がマルチ画面拡張縦画面状態にあると、最左タッチスクリーンの左エッジ及び最右タッチスクリーンの右エッジにエッジ抑制を設定し、前記最左タッチスクリーンの右エッジ、中間タッチスクリーンの左右エッジ及び前記最右タッチスクリーンの左エッジにエッジ抑制なしを設定することを決定するために用いられる。
【００７９】
好ましくは、前記設定モジュール１５６は、
前記携帯端末が単一画面縦画面状態にあると、Ｉ２Ｃ又はＳＰＩバスを介して前記タッチスクリーンに左エッジ及び右エッジ抑制のタッチスクリーンプロファイルを送信するために用いられる第１の送信ユニットと、
前記携帯端末がデュアル画面又はマルチ画面拡張縦画面状態にあると、Ｉ２Ｃ又はＳＰＩバスを介して前記タッチスクリーンに、左エッジ及び右エッジ抑制、隣接する表示スクリーン間でエッジ抑制なしのタッチスクリーンプロファイルを送信するために用いられる第２の送信ユニットとを含む。
【００８０】
好ましくは、前記第２の決定ユニットは、
前記携帯端末が単一画面横画面状態にあると、前記タッチスクリーンのエッジにエッジ抑制なしを設定することを決定するために用いられる第３の決定サブユニットと、
前記携帯端末がデュアル画面又はマルチ画面拡張横画面状態にあると、前記タッチスクリーンのエッジにエッジ抑制なしを設定し、隣接する表示スクリーン間にエッジ抑制なしを設定することを決定するために用いられる第４の決定サブユニットとを含む。
【００８１】
好ましくは、前記設定モジュール１５６は、
前記携帯端末が単一画面横画面状態にあると、Ｉ２Ｃ又はＳＰＩバスを介して前記タッチスクリーンにエッジ抑制なしのタッチスクリーンプロファイルを送信するために用いられる第３の送信ユニットと、
前記携帯端末がデュアル画面又はマルチ画面拡張横画面状態にあると、Ｉ２Ｃ又はＳＰＩバスを介して前記タッチスクリーンにタッチスクリーンのエッジでエッジ抑制なし、隣接する表示スクリーン間でエッジ抑制なしのタッチスクリーンプロファイルを送信するために用いられる第４の送信ユニットとを含む。
【００８２】
好ましくは、前記装置は、更に、
メモリから前記タッチスクリーンプロファイルを読み取るために用いられる取得ユニットと、
Ｉ２Ｃ又はＳＰＩバスを介して、読み取った前記タッチスクリーンプロファイルを前記タッチスクリーン集積回路ＩＣに送信するために用いられる第５の送信ユニットとを含む。
【００８３】
好ましくは、前記装置は、更に、
前記携帯端末のタッチスクリーン状態が変化するか否かを検出するために用いられる検出モジュールと、
前記携帯端末のタッチスクリーン状態が変化した場合、前記タッチスクリーン状態の変化状況に従って、前記携帯端末のタッチスクリーンのエッジ抑制領域を変更するために用いられる変更モジュールとを含む。
【００８４】
好ましくは、前記変更モジュールは、
前記タッチスクリーンが縦画面状態から横画面状態に変化したことを検出すると、前記タッチスクリーンのエッジ抑制状態を左エッジ及び右エッジ抑制からエッジ抑制なしに切り替えるために用いられる第１の切り替えユニット、或いは、
前記タッチスクリーンが横画面状態から縦画面状態に変化したことを検出すると、前記タッチスクリーンのエッジ抑制状態をエッジ抑制なしから左エッジ及び右エッジ抑制に切り替えるために用いられる第２の切り替えユニットを含む。
【００８５】
好ましくは、前記第１の切り替えユニットは、更に、
前記タッチスクリーンが単一画面縦画面状態から単一画面横画面状態に変化したことを検出すると、前記タッチスクリーンのエッジ抑制状態を左エッジ及び右エッジ抑制からタッチスクリーンのエッジ抑制なしに切り替え、
前記タッチスクリーンがデュアル画面又はマルチ画面縦画面状態からデュアル画面又はマルチ画面横画面状態に変化したことを検出すると、前記タッチスクリーンのエッジ抑制状態を、左エッジ及び右エッジ抑制、隣接する表示スクリーン間でエッジ抑制なしから、タッチスクリーンのエッジ抑制なしに切り替えるために用いられる。
【００８６】
好ましくは、前記第２の切り替えユニットは、更に、
前記タッチスクリーンが単一画面横画面状態から単一画面縦画面状態に変化したことを検出すると、前記タッチスクリーンのエッジ抑制状態をタッチスクリーンのエッジ抑制なしから左エッジ及び右エッジ抑制に切り替え、
前記タッチスクリーンがデュアル画面又はマルチ画面横画面状態からデュアル画面又はマルチ画面縦画面状態に変化したことを検出すると、前記タッチスクリーンのエッジ抑制状態をタッチスクリーンのエッジ抑制なしから、左エッジ及び右エッジ抑制、隣接する表示スクリーン間でエッジ抑制なしに切り替えるために用いられる。
【００８７】
好ましくは、前記装置は、更に、
タッチスクリーンがデュアル画面又はマルチ画面状態にあると、前記タッチスクリーンの第１の表示スクリーンから隣接する第２の表示スクリーンへのスライド指令を検出するために用いられる検出ユニットと、
前記スライド指令によって前記第１の表示スクリーンのＤＯＷＮイベント及び前記第２の表示スクリーンのＵＰイベントをトリガして報告するために用いられる報告ユニットであって、前記第１の表示スクリーンと前記第２の表示スクリーンとの間はエッジ抑制なし状態にある報告ユニットとを含む。
【００８８】
好ましくは、前記検出モジュール１５２は、更に、
単一スクリーン搭載携帯端末に対し、３軸加速度センサによって携帯端末が現在横画面又は縦画面状態にあることを検出し、
デュアルスクリーン又はマルチスクリーン搭載携帯端末に対し、ホール素子の自動検出又は機能キー切り替えの方法によって前記デュアルスクリーン又はマルチスクリーン搭載携帯端末が横画面又は縦画面状態にあることを決定するために用いられる。
【００８９】
実施例３
本発明の実施例は、記憶されたプログラムを含む記憶媒体を更に提供しており、上記プログラムが作動されると、上記のいずれか一項に記載の方法を実行する。
【００９０】
好ましくは、本実施例において、上記記憶媒体は、
携帯端末の現在のタッチスクリーンが横画面又は縦画面状態にあることを検出するＳ１１と、
前記携帯端末の横画面又は縦画面状態に応じて、前記タッチスクリーンのエッジにエッジ抑制を設定するか、又はエッジ抑制なしを設定するかを決定することＳ１２と、
決定した結果に従って、前記タッチスクリーンのエッジ抑制機能を設定するＳ１３とを実行するためのプログラムコードを記憶するように構成されてもよい。
【００９１】
好ましくは、本実施例において、上記記憶媒体は、Ｕディスク、読み出し専用メモリ（Ｒｅａｄ−Ｏｎｌｙ  Ｍｅｍｏｒｙ，ＲＯＭと略記する）、ランダムアクセスメモリ（Ｒａｎｄｏｍ  Ａｃｃｅｓｓ  Ｍｅｍｏｒｙ，ＲＡＭと略記する）、リムーバブルハードディスク、磁気ディスク又は光ディスクなどのプログラムコードを記憶可能な媒体を含んでもよいが、これに限定されない。
【００９２】
実施例４
本発明の実施例は、プログラムを動作させるためのプロセッサを更に提供しており、該プログラムが作動されると、上記のいずれか一項に記載の方法におけるステップを実行する。
【００９３】
好ましくは、本実施例において、上記プログラムは、
携帯端末の現在のタッチスクリーンが横画面又は縦画面状態にあることを検出するＳ２１と、
前記携帯端末の横画面又は縦画面状態に応じて、前記タッチスクリーンのエッジにエッジ抑制を設定するか、又はエッジ抑制なしを設定するかを決定するＳ２２と、
決定した結果に従って、前記タッチスクリーンのエッジ抑制機能を設定するＳ２３とを実行するために用いられる。
【００９４】
好ましくは、本実施例における具体的な例は、上記実施例及び好ましい実施形態で説明される例を参照可能であり、本実施例では説明を省略する。
【００９５】
勿論、当業者は、上記の本発明の各モジュール又は各ステップは、汎用コンピューティングデバイスにより実現可能であり、単一のコンピューティングデバイスに集中化してもよいか、或いは２つのコンピューティングデバイスで構成されるネットワーク上で分散してもよいことを理解すべきである。好ましくは、それらはコンピューティングデバイスにより実行可能なプログラムコードで実現可能であり、これにより記憶装置に記憶してコンピューティングデバイスにより実行可能であり、そして場合によっては、ここでの順序と異なる順序で表示又は説明するステップを実行してもよく、或いはそれらを各集積回路モジュールにそれぞれ製造し、或いはそれらのうちの２つのモジュール又はステップを単一の集積回路モジュールに製造することにより実現可能である。したがって、本発明は、いずれの特定のハードウェアとソフトウェアの組合せに限定されない。
【００９６】
以上は、本発明の好ましい実施例に過ぎず、本発明を限定することを意図するものではない。当業者にとって、本発明の原則内で行われるあらゆる修正、等価の置換及び改良などは、本発明の保護範囲に含まれるべきである。
【図１】
2020527809.tif 000003
【図２】
2020527809.tif 000004
【図３】
2020527809.tif 000005
【図４】
2020527809.tif 000006
【図５】
2020527809.tif 000007
【図６】
2020527809.tif 000008
【図７】
2020527809.tif 000009
【図８】
2020527809.tif 000010
【図９】
2020527809.tif 000011
【図１０】
2020527809.tif 000012
【図１１】
2020527809.tif 000013
【図１２】
2020527809.tif 000014
【図１３】
2020527809.tif 000015
【図１４】
2020527809.tif 000016
【図１５】
2020527809.tif 000017
【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
携帯端末の現在のタッチスクリーンが横画面又は縦画面状態にあることを検出することと、
前記携帯端末の横画面又は縦画面状態に応じて、前記タッチスクリーンのエッジにエッジ抑制を設定するか、又はエッジ抑制なしを設定するかを決定することと、
決定した結果に従って、前記タッチスクリーンのエッジ抑制機能を設定することとを含む、タッチスクリーンのエッジ処理方法。
【請求項２】
前記携帯端末の横画面又は縦画面状態に応じて、前記タッチスクリーンのエッジにエッジ抑制を設定するか、又はエッジ抑制なしを設定するかを決定することは、
前記携帯端末が縦画面状態にあると、前記タッチスクリーンの左エッジ及び右エッジにエッジ抑制を設定することを決定することと、
前記携帯端末が横画面状態にあると、前記タッチスクリーンのエッジにエッジ抑制なしを設定することを決定することとを含む、請求項１に記載のタッチスクリーンのエッジ処理方法。
【請求項３】
前記携帯端末が縦画面状態にあると、前記タッチスクリーンの左エッジ及び右エッジにエッジ抑制を設定することを決定することは、
前記携帯端末が単一画面縦画面状態にあると、前記タッチスクリーンの左エッジ及び右エッジにエッジ抑制を設定することを決定することと、
前記携帯端末がデュアル画面又はマルチ画面拡張縦画面状態にあると、タッチスクリーンの左エッジ及び右エッジにエッジ抑制を設定し、隣接するタッチスクリーン間にエッジ抑制なしを設定することを決定することとの少なくとも１つを含み、
前記携帯端末がデュアル画面又はマルチ画面拡張縦画面状態にあると、タッチスクリーンの左エッジ及び右エッジにエッジ抑制を設定し、隣接するタッチスクリーン間にエッジ抑制なしを設定することを決定することは、
前記携帯端末がデュアル画面拡張縦画面状態にあると、左タッチスクリーンの左エッジ及び右タッチスクリーンの右エッジにエッジ抑制を設定し、左タッチスクリーンの右エッジ及び右タッチスクリーンの左エッジにエッジ抑制なしを設定することを決定すること、或いは、
前記携帯端末がマルチ画面拡張縦画面状態にあると、最左タッチスクリーンの左エッジ及び最右タッチスクリーンの右エッジにエッジ抑制を設定し、前記最左タッチスクリーンの右エッジ、中間タッチスクリーンの左右エッジ及び前記最右タッチスクリーンの左エッジにエッジ抑制なしを設定することを決定することを含み、
決定した結果に従って、前記タッチスクリーンのエッジ抑制機能を設定することは、
前記携帯端末が単一画面縦画面状態にあると、Ｉ２Ｃ又はＳＰＩバスを介して前記タッチスクリーンに左エッジ及び右エッジ抑制のタッチスクリーンプロファイルを送信することと、
前記携帯端末がデュアル画面又はマルチ画面拡張縦画面状態にあると、Ｉ２Ｃ又はＳＰＩバスを介して前記タッチスクリーンに、左エッジ及び右エッジ抑制、隣接するタッチスクリーン間でエッジ抑制なしのタッチスクリーンプロファイルを送信することとを含む、請求項２に記載のタッチスクリーンのエッジ処理方法。
【請求項４】
前記携帯端末が横画面状態にあると、前記タッチスクリーンのエッジにエッジ抑制なしを設定することを決定することは、
前記携帯端末が単一画面横画面状態にあると、前記タッチスクリーンのエッジにエッジ抑制なしを設定することを決定することと、
前記携帯端末がデュアル画面又はマルチ画面拡張横画面状態にあると、前記タッチスクリーンのエッジにエッジ抑制なしを設定し、隣接するタッチスクリーン間にエッジ抑制なしを設定することを決定することとを含み、
決定した結果に従って、前記タッチスクリーンのエッジ抑制機能を設定することは、
前記携帯端末が単一画面横画面状態にあると、Ｉ２Ｃ又はＳＰＩバスを介して前記タッチスクリーンにエッジ抑制なしのタッチスクリーンプロファイルを送信することと、
前記携帯端末がデュアル画面又はマルチ画面拡張横画面状態にあると、Ｉ２Ｃ又はＳＰＩバスを介して前記タッチスクリーンにタッチスクリーンのエッジでエッジ抑制なし、隣接するタッチスクリーン間でエッジ抑制なしのタッチスクリーンプロファイルを送信することとを含む、請求項２に記載のタッチスクリーンのエッジ処理方法。
【請求項５】
メモリから前記タッチスクリーンプロファイルを読み取ることと、
Ｉ２Ｃ又はＳＰＩバスを介して、読み取った前記タッチスクリーンプロファイルを前記タッチスクリーン集積回路ＩＣに送信することとを更に含む、請求項３又は４に記載のタッチスクリーンのエッジ処理方法。
【請求項６】
前記携帯端末のタッチスクリーン状態が変化するか否かを検出することと、
前記携帯端末のタッチスクリーン状態が変化した場合、前記タッチスクリーン状態の変化状況に従って、前記携帯端末のタッチスクリーンのエッジ抑制領域を変更することとを更に含み、
前記タッチスクリーン状態の変化状況に従って、前記携帯端末のタッチスクリーンのエッジ抑制領域を変更することは、
前記タッチスクリーンが縦画面状態から横画面状態に変化したことを検出すると、前記タッチスクリーンのエッジ抑制状態を左エッジ及び右エッジ抑制からエッジ抑制なしに切り替えること、或いは、
前記タッチスクリーンが横画面状態から縦画面状態に変化したことを検出すると、前記タッチスクリーンのエッジ抑制状態をエッジ抑制なしから左エッジ及び右エッジ抑制に切り替えることを含み、
前記タッチスクリーンが縦画面状態から横画面状態に変化したことを検出すると、前記タッチスクリーンのエッジ抑制状態を左エッジ及び右エッジ抑制からエッジ抑制なしに切り替えることは、
前記タッチスクリーンが単一画面縦画面状態から単一画面横画面状態に変化したことを検出すると、前記タッチスクリーンのエッジ抑制状態を左エッジ及び右エッジ抑制からエッジ抑制なしに切り替えることと、
前記タッチスクリーンがデュアル画面又はマルチ画面縦画面状態からデュアル画面又はマルチ画面横画面状態に変化したことを検出すると、前記タッチスクリーンのエッジ抑制状態を、左エッジ及び右エッジ抑制、隣接するタッチスクリーンのエッジ抑制なしから、エッジ抑制なしに切り替えることとを含み、
前記タッチスクリーンが横画面状態から縦画面状態に変化したことを検出すると、前記タッチスクリーンのエッジ抑制状態をエッジ抑制なしから左エッジ及び右エッジ抑制に切り替えることは、
前記タッチスクリーンが単一画面横画面状態から単一画面縦画面状態に変化したことを検出すると、前記タッチスクリーンのエッジ抑制状態をエッジ抑制なしから左エッジ及び右エッジ抑制に切り替えることと、
前記タッチスクリーンがデュアル画面又はマルチ画面横画面状態からデュアル画面又はマルチ画面縦画面状態に変化したことを検出すると、前記タッチスクリーンのエッジ抑制状態をエッジ抑制なしから、左エッジ及び右エッジ抑制、隣接するタッチスクリーンのエッジ抑制なしに切り替えることとを含み、
前記タッチスクリーンのエッジ処理方法は、
タッチスクリーンがデュアル画面又はマルチ画面状態にあると、前記タッチスクリーンの第１の表示スクリーンから隣接する第２の表示スクリーンへのスライド指令を検出することと、
前記スライド指令によって前記第１の表示スクリーンのＤＯＷＮイベント及び前記第２の表示スクリーンのＵＰイベントをトリガして報告することであって、前記第１の表示スクリーンと前記第２の表示スクリーンとの間はエッジ抑制なし状態にあることとを更に含む、請求項１〜５のいずれか一項に記載のタッチスクリーンのエッジ処理方法。
【請求項７】
携帯端末の現在のタッチスクリーンが横画面又は縦画面状態にあることを検出することは、
単一スクリーン搭載携帯端末に対し、３軸加速度センサによって携帯端末が現在横画面又は縦画面状態にあることを検出することと、
デュアルスクリーン又はマルチスクリーン搭載携帯端末に対し、ホール素子の自動検出又は機能キー切り替えの方法によって前記デュアルスクリーン又はマルチスクリーン搭載携帯端末が横画面又は縦画面状態にあることを決定することとを含む、請求項１〜５のいずれか一項に記載のタッチスクリーンのエッジ処理方法。
【請求項８】
携帯端末の現在のタッチスクリーンが横画面又は縦画面状態にあることを検出するために用いられる検出モジュールと、
前記携帯端末の横画面又は縦画面状態に応じて、前記タッチスクリーンのエッジにエッジ抑制を設定するか、又はエッジ抑制なしを設定するかを決定するために用いられる決定モジュールと、
決定した結果に従って、前記タッチスクリーンのエッジ抑制機能を設定するために用いられる設定モジュールとを含む、タッチスクリーンのエッジ処理装置。
【請求項９】
記憶されたプログラムを含む記憶媒体であって、前記プログラムが作動されると、請求項１〜７のいずれか一項に記載のタッチスクリーンのエッジ処理方法を実行する、記憶媒体。
【請求項１０】
プログラムを動作させるためのプロセッサであって、前記プログラムが作動されると、請求項１〜７のいずれか一項に記載のタッチスクリーンのエッジ処理方法を実行する、プロセッサ。
【国際調査報告】
2020527809.tif 000018
2020527809.tif 000019
2020527809.tif 000020
2020527809.tif 000021
2020527809.tif 000022